(57)【要約】【課題】メモリ効果が生じる蓄電池を再利用するためのリフレッシュ制御において、充放電量および充放電回数の判定を自動化することにより、作業工数を低減するとともに品質ばらつきを低減する。【解決手段】本発明のある局面に従う方法は、メモリ効果が生ずる蓄電池１０を再利用するためのリフレッシュ充放電を実行する際の充放電量をコンピュータにより判定する方法に関する。この方法は、蓄電池１０を充放電したときの蓄電池１０の電圧ＶＢと放電量Ｑｄとを取得するＳ１０と、放電量Ｑｄが所定範囲Ｓｄ内のときの電圧ＶＢに応じて、リフレッシュ充放電を実行する際の充放電量を判定するＳ２０，Ｓ３０，Ｓ５０，Ｓ７０とを含む。【選択図】図４
2017011807.tif 000002
【特許請求の範囲】
【請求項１】
メモリ効果が生ずる蓄電池を再利用するためのリフレッシュ充放電を実行する際の充放電量および充放電回数をコンピュータにより判定する方法であって、
前記蓄電池を充放電したときの前記蓄電池の電圧と充放電量とを取得するステップと、
充放電量が所定範囲内のときの電圧に応じて、前記リフレッシュ充放電を実行する際の充放電量および充放電回数を判定するステップとを含む、方法。
【発明の詳細な説明】
【技術分野】
【０００１】
本発明は、リフレッシュ充放電を実行する際の充放電量および充放電回数の判定方法に関し、より特定的には、メモリ効果が生ずる蓄電池を再利用するためのリフレッシュ充放電において、充放電量および充放電回数をコンピュータにより判定する方法に関する。
【背景技術】
【０００２】
近年、蓄電池を搭載したハイブリッド車および電気自動車等の普及が進んでいる。これら車両の買い替えおよび電池交換等に伴い、多くの使用済み蓄電池が発生している。よって、車載用蓄電池を再利用（リユース）するための技術が求められている。たとえば特開２０１４−１６６０１５号公報（特許文献１）は、車載用蓄電池を定置用蓄電池として再利用する技術を開示する（特許文献１の段落［０００６］参照）。
【先行技術文献】
【特許文献】
【０００３】
【特許文献１】特開２０１４−１６６０１５号公報
【発明の概要】
【発明が解決しようとする課題】
【０００４】
車載用蓄電池として広く普及しているニッケル水素電池では、いわゆるメモリ効果が生じる。一般に車載用蓄電池では充放電が頻繁に繰り返されるため、メモリ効果による充放電容量の低下が生じやすい。そのため、車載用蓄電池を再利用する際にはメモリ効果を解消するために、リフレッシュ充放電を実行することが望ましい。
【０００５】
メモリ効果の程度は車両の使用態様に応じて蓄電池毎に異なる。そのため、リフレッシュ充放電を実行する際の充放電量および充放電回数は一意に決定することが難しく、蓄電池毎に判定することが求められる。
【０００６】
この判定をリフレッシュ充放電の作業者の経験や技能に基づいて行なうことも考えられる。しかしながら、そうすると、充放電量および充放電回数を正確に判定できない可能性がある。充放電量および充放電回数が過度に大きく判定された場合、本来は不要な作業を行なうことになり、作業工数の増大を引き起し得る。反対に、充放電量および充放電回数が不足した場合には、メモリ効果が十分に解消されず、再利用された蓄電池の品質にばらつきが生じ得る。よって、リフレッシュ充放電を実行する際の充放電量および充放電回数の判定を自動化する技術が求められている。
【０００７】
本発明は上記課題を解決するためになされたものであり、その目的は、メモリ効果を生じる蓄電池を再利用するためのリフレッシュ制御において、充放電量および充放電回数の判定を自動化することにより、作業工数を低減するとともに品質ばらつきを低減することである。
【課題を解決するための手段】
【０００８】
本発明のある局面に従う方法は、メモリ効果が生ずる蓄電池を再利用するためのリフレッシュ充放電を実行する際の充放電量および充放電回数をコンピュータにより判定する方法に関する。上記方法は、蓄電池を充放電したときの蓄電池の電圧と充放電量とを取得するステップと、充放電量が所定範囲内のときの電圧に応じて、リフレッシュ充放電を実行する際の充放電量および充放電回数を判定するステップとを含む。
【０００９】
上記方法によれば、コンピュータにより、蓄電池を充放電したときの蓄電池の電圧と充放電量とが取得され、さらに充放電量が所定範囲内のときの電圧が求められる。この電圧にはその蓄電池に生じたメモリ効果の程度が反映されているので、メモリ効果の程度を把握することができる。その結果、充放電量および充放電回数の判定を自動化することが可能になるので、作業者の経験や技能に基づく場合と比べて、作業工数を低減するとともに品質ばらつきを低減することができる。
【発明の効果】
【００１０】
本発明によれば、メモリ効果が生じる蓄電池を再利用するためのリフレッシュ制御において、充放電量および充放電回数の判定を自動化することにより、作業工数を低減するとともに品質ばらつきを低減することができる。
【図面の簡単な説明】
【００１１】
【図１】車載用蓄電池の再利用を説明するための概念図である。
【図２】図１に示す判定システムの構成を概略的に示す回路ブロック図である。
【図３】本実施の形態に係るリフレッシュ充放電の充放電量の判定方法を説明するための図である。
【図４】本実施の形態に係るリフレッシュ充放電の充放電量の判定方法を示すフローチャートである。
【図５】本実施の形態に係るリフレッシュ充放電の充放電回数の設定方法を説明するための図である。
【図６】本実施の形態に係るリフレッシュ充放電の充放電回数の設定方法を示すフローチャートである。
【発明を実施するための形態】
【００１２】
以下、本発明の実施の形態について、図面を参照しながら詳細に説明する。なお、図中同一または相当部分には同一符号を付してその説明は繰り返さない。
【００１３】
本明細書では、蓄電池のリフレッシュ充電およびリフレッシュ放電を包括的に「リフレッシュ充放電」と称する。また、リフレッシュ充放電の充放電量（リフレッシュ充電を実行する際の充電量およびリフレッシュ放電を実行する際の放電量）を「リフレッシュ量」と略す。同様に、リフレッシュ充放電の充放電回数（リフレッシュ充電を実行する際の充電回数およびリフレッシュ放電を実行する際の放電回数）を「リフレッシュ回数」と略す。
【００１４】
以下に示す実施の形態においては、蓄電池の再利用の一例として、車載用蓄電池を定置用蓄電池に再利用する場合を例に説明する。しかし、再利用の用途はこれに限定されるものではなく、たとえば車載用蓄電池を他の車両に搭載するために再利用してもよい。
【００１５】
図１は、車載用蓄電池の再利用を説明するための概念図である。図１を参照して、市場において、ハイブリッド車、電気自動車または燃料自動車である車両１００に搭載されていた蓄電池１０が回収される。本実施の形態において、蓄電池１０はニッケル水素電池である。
【００１６】
一般に、ニッケル水素電池またはニッケルカドミウム電池等の蓄電池において比較的狭いＳＯＣ（State  Of  Charge）範囲内での充放電が繰り返されると、メモリ効果により充放電容量が低下する。メモリ効果は、蓄電池のリフレッシュ充放電を実行することにより解消可能である。すなわち、メモリ効果は、蓄電池を満充電または完全放電に近付けることにより解消可能である。そのため、リフレッシュ充放電によりメモリ効果解消後の複数の蓄電池１０を組み直すことにより、たとえば工場２００における定置用蓄電池として再利用することができる。なお、定置用蓄電池の用途は特に限定されず、住宅または店舗において使用してもよい。
【００１７】
通常使用時のＳＯＣ範囲から大きく離れるようにリフレッシュ量を設定することにより、リフレッシュ効果（メモリ効果を解消する効果）が大きくなることが知られている。また、リフレッシュ回数が多いほど、リフレッシュ効果が大きくなることが知られている。したがって、蓄電池１０のメモリ効果の程度に応じたリフレッシュ量およびリフレッシュ回数を判定することが望ましい。
【００１８】
ここで、メモリ効果の程度は車両の使用態様に応じて蓄電池毎に異なる。そのため、リフレッシュ量およびリフレッシュ回数は一意に決定することが難しく、蓄電池毎に判定することが求められる。
【００１９】
この判定をリフレッシュ充放電の作業者の経験や技能に基づいて行なうことも考えられる。しかしながら、リフレッシュ量またはリフレッシュ回数が過度に大きく設定された場合、本来は不要な作業を行なうことになり、作業工数の増大を引き起し得る。反対に、リフレッシュ量またはリフレッシュ回数が不足した場合には、メモリ効果が十分に解消されず、再利用された蓄電池の品質にばらつきが生じ得る。よって、リフレッシュ量およびリフレッシュ回数の判定を自動化する技術が求められている。この自動判定を実現するためには、蓄電池１０毎にメモリ効果の程度を把握することが重要になる。
【００２０】
本発明者らは、蓄電池１０を放電したときの電圧−放電量カーブ（図３参照）、および蓄電池１０を充電したときの電圧−充電量カーブ（図５参照）には、メモリ効果の程度が反映されていることに着目した。本実施の形態によれば、判定システム３００によって上記データ（両カーブ）を取得し、取得されたデータに基づいて、リフレッシュ量およびリフレッシュ回数を判定する構成を採用する。
【００２１】
図２は、図１に示す判定システム３００の構成を概略的に示す回路ブロック図である。図２を参照して、判定システム３００は、車両１００から回収された蓄電池１０が設置可能に構成される。
【００２２】
蓄電池１０は、互いに並列に接続された複数のモジュール２０を含む（図２では図面が煩雑になるのを防ぐため１つのみを示す）。複数のモジュール２０の各々は、直列に接続された複数のセル３０を有する。なお、蓄電池１０の構成は特に限定されず、モジュール２０の数およびセル３０の数は任意の数であってよい。
【００２３】
判定システム３００は、判定装置１と、インバータ３１０と、コンバータ３２０と、負荷３３０と、電圧センサ３４０と、電流センサ３５０とを備える。
【００２４】
インバータ３１０は、外部電源（たとえば商用電源）４００から供給された交流電力を、蓄電池１０を充電するための直流電力に変換する。コンバータ３２０は、蓄電池１０から放電された直流電力を電圧変換して負荷３３０に供給する。負荷３３０は、蓄電池１０からの放電電力を消費する。
【００２５】
電圧センサ３４０は、蓄電池１０（より特定的には各モジュール２０）の電圧ＶＢを検出する。電流センサ３５０は、蓄電池１０に入出力される電流ＩＢを検出する。各センサは、その検出結果を示す信号を判定装置１に出力する。
【００２６】
判定装置１は、コンピュータにより実現され、いずれも図示しないがＣＰＵ（Central  Processing  Unit）と、ＲＯＭ（Read  Only  Memory）およびＲＡＭ（Random  Access  Memory）などのメモリと、入出力インターフェイスとを含んで構成される。判定装置１は、各センサからの信号に基づき、予めＲＯＭに格納されたプログラムをＣＰＵがＲＡＭに読み出して実行することによって、蓄電池１０の充放電を制御するとともに、蓄電池１０のリフレッシュ量およびリフレッシュ回数を判定する。より具体的に、判定装置１は、充放電制御部１１と、データ取得部１２と、比較部１３と、リフレッシュ量判定部１４と、リフレッシュ回数判定部１５と、報知部１６とを含む。
【００２７】
充放電制御部１１は、各センサからの検出信号を監視しながらインバータ３１０を制御することにより、蓄電池１０を充電させる。また、充放電制御部１１は、コンバータ３２０を制御することにより蓄電池１０を放電させる。
【００２８】
データ取得部１２は、蓄電池１０を放電したときの電圧ＶＢと放電電流ＩＢとを測定することにより、蓄電池１０の電圧ＶＢ−放電量Ｑｄカーブ（図３参照）を取得する。さらに、データ取得部１２は、蓄電池１０を充電したときの電圧ＶＢと充電電流ＩＢとを測定することにより、蓄電池１０の電圧ＶＢ−充電量Ｑｃカーブ（図５参照）を取得する。データ取得部１２は、取得された両カーブを比較部１３に出力する。
【００２９】
比較部１３は、蓄電池１０の放電量が所定範囲Ｓｄ内のときの電圧ＶＢを算出し、その電圧ＶＢを予め定められたしきい値（たとえば図３に示すしきい値Ｖ１〜Ｖ３）と比較する。比較部１３は、その比較結果をリフレッシュ量判定部１４に出力する。リフレッシュ量判定部１４は、比較部１３による比較結果に基づいてリフレッシュ量を判定する。
【００３０】
さらに、比較部１３は、蓄電池１０の充電量が所定範囲Ｓｃ内のときの電圧ＶＢの傾きを算出し、その傾きを予め定められたしきい値（たとえば略０）と比較する。比較部１３は、その比較結果をリフレッシュ回数判定部１５に出力する。リフレッシュ回数判定部１５は、比較部１３による比較結果に基づいてリフレッシュ回数を判定する。
【００３１】
報知部１６は、たとえばディスプレイにより実現され、リフレッシュ量判定部１４およびリフレッシュ回数判定部１５による判定結果をリフレッシュ充放電の作業者に報知する。作業者は、報知部１６により報知された蓄電池１０毎の判定結果を確認して、その判定結果に応じたリフレッシュ充放電を実行することができる。また、報知部１６は、後述するように蓄電池１０に異常がある旨を作業者に報知してもよい。
【００３２】
＜リフレッシュ量の判定＞
以下、本実施の形態に係る蓄電池１０のリフレッシュ量およびリフレッシュ回数の判定方法について詳細に説明する。まず、リフレッシュ量の判定方法を説明する。
【００３３】
図３は、本実施の形態に係るリフレッシュ量の判定方法を説明するための図である。図３において、横軸は蓄電池１０からの放電量Ｑｄ（単位：Ａｈ）を表し、横軸は蓄電池１０の電圧ＶＢを表す。
【００３４】
図２および図３を参照して、蓄電池１０のリフレッシュ量を判定する際には、電荷が残存しなくなるまで蓄電池１０の放電が行なわれる。このとき、蓄電池１０の電圧ＶＢは、曲線Ｄ１〜Ｄ３に示すように、蓄電池１０に生じたメモリ効果の程度に応じて減少する。すなわち、メモリ効果が強いほど、放電量がＱ１からＱ２まで増加する範囲Ｓｄ内の電圧ＶＢが低くなる。
【００３５】
範囲Ｓｄを規定する放電量Ｑ１，Ｑ２は、蓄電池１０の放電が終了する際の放電量Ｑｅを基準として、放電量を逆算することにより設定される。放電量Ｑ１と放電量Ｑｅとの差はΔＱ１であり、放電量Ｑ２と放電量Ｑｅとの差はΔＱ２である。差ΔＱ１，ΔＱ２の各々は、蓄電池１０の仕様（たとえば蓄電池が定置用として再利用された場合の最低容量）に応じて、実験またはシミュレーションにより適宜設定することができる。
【００３６】
曲線Ｄ１は、蓄電池１０にメモリ効果がほとんど生じていない場合のカーブの一例を示す。曲線Ｄ１では、所定範囲Ｓｄ内の電圧ＶＢはしきい値Ｖ１以上である。この場合には、リフレッシュ充放電を実行しなくてよいので、蓄電池１０の再利用に要する作業工数を削減することができる。
【００３７】
曲線Ｄ２は、蓄電池１０にメモリ効果が生じているものの、その効果が比較的弱い場合のカーブの一例を示す。曲線Ｄ２では、所定範囲Ｓｄ内の電圧ＶＢは、しきい値Ｖ２以上かつしきい値Ｖ１未満である。この場合には、リフレッシュ量を相対的に小さく設定することが好ましい。
【００３８】
曲線Ｄ３は、蓄電池１０に生じているメモリ効果が比較的強い場合のカーブの一例を示す。曲線Ｄ３では、所定範囲Ｓｄ内の電圧ＶＢは、しきい値Ｖ３以上かつしきい値Ｖ２未満である。この場合には、リフレッシュ量を相対的に大きく設定することが好ましい。
【００３９】
このように、本実施の形態によれば、所定の範囲Ｓｄ内の電圧ＶＢが算出され、その電圧ＶＢをしきい値Ｖ１〜Ｖ３と比較することにより、メモリ効果の程度を把握することができる。そして、メモリ効果の程度に応じて、リフレッシュ充放電が必要か否かを判定するとともに、リフレッシュ充放電が必要な場合にはリフレッシュ量を判定することができる。
【００４０】
図４は、本実施の形態に係るリフレッシュ充電の充電量の設定手法を示すフローチャートである。図４および後述する図６に示すフローチャートの各ステップ（ステップをＳと略す）は、判定装置１によるソフトウェア処理または専用のハードウェア（電子回路）によって実現される。
【００４１】
図２および図４を参照して、Ｓ１０において、判定装置１は、蓄電池１０を放電することにより、蓄電池１０の電圧ＶＢ−放電量Ｑｄカーブ（図３参照）を取得する。
【００４２】
Ｓ２０において、判定装置１は、上記カーブに基づいて範囲Ｓｄ内の電圧ＶＢを算出する。なお、電圧ＶＢとしては、範囲Ｓｄ内のいずれか１つの電圧値を用いてもよいし、複数の電圧値の平均値または中間値を用いてもよい。
【００４３】
Ｓ３０において、判定装置１は、電圧ＶＢとしきい値Ｖ１との大小関係を比較する。電圧ＶＢがしきい値Ｖ１以上の場合（Ｓ３０においてＹＥＳ：図３の曲線Ｄ１参照）、判定装置１は、蓄電池１０に生じたメモリ効果は無視できるほど小さいため、リフレッシュ充電を実行しなくてよいと判定する（Ｓ４０）。
【００４４】
一方、電圧ＶＢがしきい値Ｖ１未満の場合（Ｓ３０においてＮＯ）、判定装置１は、電圧ＶＢとしきい値Ｖ１，Ｖ２との大小関係をさらに比較する（Ｓ５０）。電圧ＶＢがしきい値Ｖ２以上かつしきい値Ｖ１未満の場合（Ｓ５０においてＹＥＳ：図３の曲線Ｄ２参照）、判定装置１は、蓄電池１０にはメモリ効果が生じているため、リフレッシュ充電を実行する必要があると判定する。
【００４５】
さらに、判定装置１は、蓄電池１０に生じたメモリ効果は比較的弱いため、リフレッシュ量として相対的に小さな値を設定する（Ｓ６０）。リフレッシュ量の具体的な数値は、蓄電池１０の種類または用途等に応じて、実験またはシミュレーションにより適宜定めることが好ましい。一例として、判定装置１は、蓄電池１０の公称容量の９０％の値をリフレッシュ量として設定することができる。その後、蓄電池１０のリフレッシュ充電が実行されるが、その具体的手法としては公知の手法を採用することができるため、ここでは詳細な説明は繰り返さない。
【００４６】
Ｓ５０において電圧ＶＢがしきい値Ｖ２未満の場合（Ｓ５０においてＮＯ）、判定装置１は、電圧ＶＢとしきい値Ｖ２，Ｖ３との大小関係をさらに比較する（Ｓ７０）。電圧ＶＢがしきい値Ｖ３以上かつしきい値Ｖ２未満の場合（Ｓ７０においてＹＥＳ：図３の曲線Ｄ３参照）、判定装置１は、蓄電池１０に生じたメモリ効果が比較的強いと判定し、リフレッシュ量として相対的に大きな値を設定する（Ｓ８０）。一例として、判定装置１は、蓄電池１０の公称容量の１１０％の値をリフレッシュ量として設定することができる。
【００４７】
電圧ＶＢがしきい値Ｖ３未満の場合（Ｓ７０においてＮＯ）、判定装置１は、電圧ＶＢが過度に低いため、蓄電池１０に何らかの異常があると判定し、その旨を作業者に報知する。これにより、作業者は、異常ありと判定された蓄電池１０については定置用として再利用することなく破棄することができる。
【００４８】
＜リフレッシュ回数の判定＞
続いて、本実施の形態に係る蓄電池１０のリフレッシュ回数の判定方法について詳細に説明する。
【００４９】
図５は、本実施の形態に係るリフレッシュ回数の判定方法を説明するための図である。図５において、横軸は蓄電池１０の充電量Ｑｃ（単位：Ａｈ）を表し、横軸は蓄電池１０の電圧ＶＢを表す。
【００５０】
図２および図５を参照して、蓄電池１０のリフレッシュ回数を判定する際には、蓄電池１０が満充電に至るまでリフレッシュ充電が行なわれる。すなわち、蓄電池１０は、その公称容量まで充電される。このとき、充電終了前の所定の範囲Ｓｃ内において、電圧ＶＢの変化の方向は、曲線Ｃ１〜Ｃ３に示すように、蓄電池１０に生じたメモリ効果の程度に応じて異なる。
【００５１】
曲線Ｃ１は、蓄電池１０に生じたメモリ効果がリフレッシュ充電によりほとんど解消された場合のカーブの一例を示す。曲線Ｃ１は、範囲Ｓｃ内の電圧ＶＢの傾き（単位充電量Ｑｃ当たりの電圧ＶＢの変化量）は正である。このように、蓄電池１０のメモリ効果が解消された場合には、公称容量まで充電する際に充電終了前の範囲Ｓｃ内において電圧ＶＢが上昇する。この場合には、それ以上リフレッシュ充放電を実行しなくてよいと判定することができる。これにより、蓄電池１０の再利用に要する作業工数を削減することができる。
【００５２】
曲線Ｃ２は、蓄電池１０に生じたメモリ効果が解消されていない場合のカーブの一例を示す。曲線Ｃ２では、範囲Ｓｃ内の電圧ＶＢの傾きは略０である。このように、蓄電池１０のメモリ効果が残存している場合には、範囲Ｓｃ内において電圧ＶＢが上昇せず、ほぼ一定（水平）になる。この場合には、リフレッシュ充放電を再度実行することが好ましい。
【００５３】
曲線Ｃ３は、蓄電池１０の劣化が進行している場合のカーブの一例を示す。曲線Ｃ３では、範囲Ｓｃ内の電圧ＶＢの傾きは負である。より詳細に説明すると、蓄電池１０の容量が減少すると、公称容量まで充電された蓄電池１０は過充電状態に至っている。そのため、蓄電池１０の温度が過度に上昇し、その結果として電圧ＶＢが範囲Ｓｃ内において減少したものと考えられる。この場合には、リフレッシュ充放電を実行しても容量回復の可能性は低いので、リフレッシュ回数を少なく設定することが好ましい。
【００５４】
なお、以上では電圧ＶＢの傾きを正、略０および負に場合分けする例について説明した。より詳細には、傾きが正とは、傾きが所定値Ａ１（＞０）以上であることを意味する。傾きが略０とは、傾きが所定値Ａ２（＜０）以上かつ所定値Ａ１（＞０）未満であることを意味する。傾きが負とは、傾きが所定値Ａ２（＜０）未満であることを意味する。
【００５５】
図６は、本実施の形態に係るリフレッシュ回数の設定方法を示すフローチャートである。本実施の形態では、リフレッシュ充放電が正常に実行される場合のリフレッシュ回数が３回に設定される例を説明する。リフレッシュ回数を判定するためのパラメータとして、カウント値Ｎが用いられる。
【００５６】
図２および図６を参照して、Ｓ１１０において、判定装置１は、カウント値Ｎの初期値として０を設定する。
【００５７】
Ｓ１２０において、判定装置１は、蓄電池１０のリフレッシュ充電を実行する。これにより、判定装置１は、蓄電池１０の電圧ＶＢ−充電量Ｑｃカーブ（図５参照）を取得する。
【００５８】
Ｓ１３０において、カウント値Ｎが３以上であるか否かを判定する。カウント値が３以上の場合（Ｓ１３０においてＹＥＳ）、判定装置１は、それ以上のリフレッシュ充放電は実行しなくてよいとして一連の処理を終了する。
【００５９】
一方、カウント値Ｎが３未満、すなわちカウント値Ｎ＝０，１，２の場合（Ｓ１３０においてＮＯ）、判定装置１は、処理をＳ１４０に進め、Ｓ１２０にて取得したカーブに基づき範囲Ｓｃ内の電圧ＶＢの傾きを取得する。
【００６０】
Ｓ１５０において、判定装置１は、範囲Ｓｃ内の電圧ＶＢの傾きが負であるか否かを判定する。電圧ＶＢの傾きが負の場合（Ｓ１５０においてＹＥＳ：図５の曲線Ｃ３参照）、判定装置１は、蓄電池１０が劣化したため過充電状態に至っており、リフレッシュ充放電を実行しても容量回復の可能性は低いと判定する（Ｓ１６０）。そのため、判定装置１は、カウント値Ｎを２だけインクリメントし、処理をＳ１２０に戻す。
【００６１】
電圧ＶＢの傾きが負でない場合（Ｓ１５０においてＮＯ）、判定装置１は、電圧ＶＢの傾きが略０であるか否かをさらに判定する（Ｓ１７０）。電圧ＶＢの傾きが略０の場合（Ｓ１７０においてＹＥＳ：図５の曲線Ｃ２参照）、判定装置１は、蓄電池１０のメモリ効果が残存しているため、リフレッシュ充放電を再度実行することが好ましいと判定する（Ｓ１８０）。判定装置１は、カウント値Ｎを１だけインクリメントし、処理をＳ１２０に戻す。
【００６２】
電圧ＶＢの傾きが略０でない場合（Ｓ１７０においてＮＯ）、判定装置１は、電圧ＶＢの傾きが正であるか否かをさらに判定する（Ｓ１９０）。電圧ＶＢの傾きが正の場合（Ｓ１９０においてＹＥＳ：図５の曲線Ｃ１参照）、判定装置１は、蓄電池１０のメモリ効果はほとんど解消されていると判定し、一連の処理を終了する。
【００６３】
これに対し、電圧ＶＢの傾きが正でない場合、たとえば範囲Ｓｃ内において電圧ＶＢが増減して電圧ＶＢの符号が変化する場合（Ｓ１９０においてＮＯ）、判定装置１は、蓄電池１０またはその周辺部品（充放電回路等）に何らかの異常があると判定し、その旨を作業者に報知する（Ｓ２００）。
【００６４】
以上のように、本実施の形態によれば、コンピュータである判定装置１により、蓄電池１０を充放電したときの蓄電池１０の電圧ＶＢと充放電量（充電量Ｑｃおよび放電量Ｑｄ）とが取得され、さらに充放電量が所定範囲（Ｓｃ，Ｓｄ）内のときの電圧ＶＢが求められる。この電圧ＶＢにはその蓄電池１０において生じたメモリ効果の程度が反映されているので、メモリ効果の程度を把握することができる。その結果、リフレッシュ量およびリフレッシュ回数の判定を自動化することが可能になるので、作業者の経験や技能に基づく場合と比べて、作業工数を低減するとともに品質ばらつきを低減することができる。
【００６５】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００６６】
１  判定装置、１１  充放電制御部、１２  データ取得部、１３  比較部、１４  リフレッシュ量判定部、１５  リフレッシュ回数判定部、１６  報知部、１０  蓄電池、２０  モジュール、３０  セル、１００  車両、２００  工場、３００  判定システム、３１０  インバータ、３２０  コンバータ、３３０  負荷、３４０  電圧センサ、３５０  電流センサ。
【図１】
2017011807.tif 000003
【図２】
2017011807.tif 000004
【図３】
2017011807.tif 000005
【図４】
2017011807.tif 000006
【図５】
2017011807.tif 000007
【図６】
2017011807.tif 000008